(57)【要約】【課題】  裏面に滑り止めを設けているにもかかわらず、通気性、柔軟性に富み、取扱性、施工性に優れたカーペットを能率よく製造する。【解決手段】    織布又は不織布からなる一次基布２にパイル糸３をタフトしてなるカーペット主体１の一次基布２の裏面に接着剤を介して不織布からなる二次基布５を貼着してなる長尺カーペットＡを製造したのち、この長尺カーペットＡを、二次基布５を上側に向けた状態でテンターによりその両側端耳部を保持しながら緊張状態で搬送し、搬送途上において二次基布５上に滑り止め塗料組成物を供給してこの滑り止め突条組成物を、二次基布５上に接するように配設した滑り止め突条形成用プレート20の下端に設けている複数の孔21を通じて長尺カーペットＡの搬送にともなって通過させることにより、二次基布５上に複数条の滑り止め突条６を形成する。【選択図】  図７
2016198200.tif 000002
【特許請求の範囲】
【請求項１】
織布又は不織布よりなる長尺シート状の一次基布にパイル糸をタフティングしてなるカーペット主体を、その一次基布の裏面を下側に向けてコーティングロール上に連続的に搬送してこのコーティングロールにより一次基布の裏面に接着剤を塗布したのち、不織布よりなる長尺シート状の二次基布を一次基布の裏面に重ねあわせるように供給して上記接着剤により一次基布の裏面に貼着したのち乾燥する長尺カーペットの製造工程と、この長尺カーペットをその二次基布の裏面を上側に向けた状態にしてテンター上に繰り出してテンターによりその両側端耳部を保持しながら搬送し、搬送途上において二次基布の裏面上に、幅方向に一定間隔毎に滑り止め塗料組成物よりなる畝状の滑り止め突条を形成したのち乾燥する滑り止め突条形成工程とからなることを特徴とするカーペットの製造方法。
【請求項２】
滑り止め突条形成工程において、裏面を上側に向けている二次基布の該裏面上に、カーペットの搬送方向に直交するようにして下端部に一定間隔毎に滑り止め突条形成用孔を設けている滑り止め突条形成用プレートを配設し、この滑り止め突条形成用プレートに対してカーペット搬送上流側の二次基布上に滑り止め塗料組成物を供給してこの滑り止め塗料組成物をカーペットの搬送にともなって上記滑り止め突条形成用孔を通過させることにより、二次基布の裏面に滑り止め突条形成用孔と同一断面形状の複数条の畝状の滑り止め突条を塗布、形成することを特徴とする請求項１に記載のカーペットの製造方法。
【請求項３】
滑り止め突条形成工程において、裏面を上側に向けている二次基布の上方に、二次基布の幅方向に一定間隔毎に滑り止め塗料組成物押出しノズルを配設してあり、このノズルから押し出される滑り止め塗料組成物によって二次基布の裏面に、幅方向に一定間隔毎に畝状の滑り止め突条を形成することを特徴とする請求項１に記載のカーペットの製造方法。  
【請求項４】
長尺カーペットの製造工程において、乾燥後に長尺カーペットを振り落としながら積層状態に折り畳むか又はロール状に巻装した状態にし、次の滑り止め突条工程時にこの積層状態に折り畳まれている長尺カーペット又はロール巻きされている長尺カーペットをその二次基布の裏面を上方に向けながら繰り出すことを特徴とする請求項１に記載のカーペットの製造方法。
【発明の詳細な説明】
【技術分野】
【０００１】
本発明は、裏面に滑り止めを施したカーペットの製造方法に関する。
【背景技術】
【０００２】
カーペットを床面に敷設した際に、カーペットが床面上を滑って老人や幼児が転倒したりすることのないように、裏面に滑り止めを施したカーペットが広く知られている。このようなカーペットの製造方法としては、例えば、特許文献１に記載されているように、長尺シート状の織布又は不織布からなる一次基布にタフトしてなるカーペット主体の裏面に接着剤を塗布したのち、この接着剤層を介して一次基布に不織布からなる二次基布を裏貼りし、次いで、この二次基布の裏面にゴムラテックスを吹きつけることによって滑り止め層を形成することが行われている。
【先行技術文献】
【特許文献】
【０００３】
【特許文献１】特開平７−３０８２５５号公報
【発明の概要】
【発明が解決しようとする課題】
【０００４】
しかしながら、上記のような裏面に滑り止めを施したカーペットの製造方法によれば、二次基布の裏面全面にゴムラテックスを塗布して一定厚みの滑り止めゴム層を形成するので、この滑り止めゴム層によってカーペットの通気性が損なわれ、床面が湿気を帯びて腐食し易くなる虞れ生じると共に柔軟性、可撓性が損なわれて取扱性、施工性の面においても問題点が生じる。
【０００５】
本発明はこのような問題点に鑑みてなされたもので、その目的とするところは、裏面に滑り止めを施しているにもかかわらず、通気性、柔軟性に富み、且つ、軽量化を図ることができて取扱性、施工性に優れたカーペットを能率よく且つ高品質に製造することができるカーペットの製造方法を提供するにある。
【課題を解決するための手段】
【０００６】
上記目的を達成するために本発明のカーペットの製造方法は、請求項１に記載したように、織布又は不織布よりなる長尺シート状の一次基布にパイル糸をタフティングしてなるカーペット主体を、その一次基布の裏面を下側に向けてコーティングロール上に連続的に搬送してこのコーティングロールにより一次基布の裏面に接着剤を塗布したのち、不織布よりなる長尺シート状の二次基布を一次基布の裏面に重ねあわせるように供給して上記接着剤により一次基布の裏面に貼着したのち乾燥する長尺カーペットの製造工程と、この長尺カーペットをその二次基布の裏面を上側に向けた状態にしてテンター上に繰り出してテンターによりその両側端耳部を保持しながら搬送し、搬送途上において二次基布の裏面上に、幅方向に一定間隔毎に滑り止め塗料組成物よりなる畝状の滑り止め突条を形成したのち乾燥する滑り止め突条形成工程とからなることを特徴とする。
【０００７】
このように構成した請求項１に記載のカーペットの製造方法における滑り止め突条形成工程において、請求項２に係る発明は、カーペットの搬送方向に直交するようにして二次基布上に、下端部に一定間隔毎に滑り止め突条形成用孔を設けている滑り止め突条形成用プレートを配設し、この滑り止め突条形成用プレートに対してカーペット搬送上流側の二次基布上に滑り止め塗料組成物を供給してこの滑り止め塗料組成物をカーペットの搬送にともなって上記滑り止め突条形成用孔を通過させることにより、二次基布の裏面に滑り止め突条形成用孔と同一断面形状の複数条の畝状の滑り止め突条を塗布、形成することを特徴とする。
【０００８】
請求項３に係る発明は、上記請求項２に記載の発明とは異なった滑り止め突条形成工程であって、二次基布の裏面上に二次基布の幅方向に一定間隔毎に滑り止め塗料組成物押出しノズルを配設し、このノズルから押し出される滑り止め塗料組成物によって二次基布の裏面に、幅方向に一定間隔毎に畝状の滑り止め突条を形成することを特徴とする。
【０００９】
請求項４に係る発明は、請求項１に記載の長尺カーペットの製造工程において、乾燥後に長尺カーペットを振り落としながら積層状態に折り畳むか又はロール状に巻装した状態にし、次の滑り止め突条形成工程時にこの積層状態に折り畳まれている長尺カーペット又はロール巻きされている長尺カーペットをその二次基布の裏面を上方に向けながら繰り出すことを特徴とする。
【発明の効果】
【００１０】
請求項１に係る発明によれば、織布又は不織布よりなる長尺シート状の一次基布にパイル糸をタフティングしてなるカーペット主体を、その一次基布の裏面を下側に向けてコーティングロール上に連続的に搬送してこのコーティングロールにより一次基布の裏面に接着剤を塗布したのち、不織布よりなる長尺シート状の二次基布を上記接着剤により一次基布の裏面に貼着するので、厚みが比較的薄い二次基布を用いてもこの二次基布によって裏面を平らに仕上げられて寸法安定性に優れていると共に、軽量で且つ柔軟性、折り曲げ性、通気性に富んだ長尺カーペットを能率よく製造することができる。
【００１１】
さらに、上記長尺カーペットの二次基布の裏面に滑り止め突条を形成する工程において、上記長尺カーペットを、その二次基布の裏面を上側に向けた状態にしてテンター上に繰り出してテンターによりその両側端耳部を保持しながら搬送するので、二次基布を形成している不織布の厚みが薄くてもこの二次基布が幅方向及び長さ方向に均一に張引、緊張されて、上側に向けている二次基布の裏面全面を平坦な面に保持しながら搬送することができ、この緊張した二次基布の裏面上に滑り止め塗料組成物を線引きするように供給して、一定高さと一定幅を有する複数条の畝状の滑り止め突条を並列状態に確実に塗布、形成することができる。
【００１２】
このように、長尺カーペットにおける二次基布の裏面に一定高さと一定幅を有する畝状の滑り止め突条を塗布、形成するので、滑り止め突条によって長尺カーペットの通気性や柔軟性を殆ど阻害することなく、隣接する滑り止め突条間からの折り曲げ性や可撓性に富んだ軽量で取り扱い易いカーペットを能率よく製造することができ、この長尺カーペットを裁断して取扱性及び床面への敷設、施工性に優れたタイル状カーペットやシート状カーペットを提供することができる。
【００１３】
上記請求項１に記載のカーペットの製造方法における滑り止め突条形成工程において、二次基布の裏面に複数条の滑り止め突条を塗布、形成する方法として、請求項２に係る発明は、カーペットの搬送方向に直交するようにして二次基布上に、下端部に一定間隔毎に滑り止め突条形成用孔を設けている滑り止め突条形成用プレートを配設し、この滑り止め突条形成用プレートに対してカーペット搬送上流側の二次基布上に滑り止め塗料組成物を供給してこの滑り止め塗料組成物をカーペットの搬送にともなって上記滑り止め突条形成用孔を通過させることにより、二次基布の裏面に滑り止め突条形成用孔と同一断面形状の複数条の畝状の滑り止め突条を塗布、形成するので、二次基布の裏面上に一定高さを幅を有する複数条の滑り止め突条を並列状態に正確に且つ能率よく塗布、形成することができる。
【００１４】
なお、上記請求項２に係る発明における滑り止め突条形成用プレートに代えて請求項３に係る発明のように、二次基布の裏面上に二次基布の幅方向に一定間隔毎に滑り止め塗料組成物押出しノズルを配設し、このノズルから滑り止め塗料組成物を押し出しながら二次基布の裏面に幅方向に一定間隔毎に畝状の滑り止め突条を形成してもよい。
【００１５】
請求項４に係る発明は、上記請求項１に記載のカーペットの製造方法における長尺カーペットの製造工程において、乾燥後に長尺カーペットを振り落としながら積層状態に折り畳むか、又は、ロール状に巻装した状態にし、次の滑り止め突条形成工程時にこの積層状態に折り畳まれている長尺カーペット又は、ロール巻きされている長尺カーペットをその二次基布の裏面を上方に向けながら繰り出すので、長尺カーペットの二次基布の裏面に滑り止め突条を塗布、形成する際には、その塗布、形成が容易なように長尺カーペットの二次基布の裏面を上側を向けて繰り出しながら、滑り止め突条を円滑且つ確実に形成することができる。
【図面の簡単な説明】
【００１６】
【図１】本発明によって製造された長尺カーペットを分断することによって得られるタイル状カーペットの簡略斜視図。
【図２】その裏面側から見た斜視図。
【図３】カーペットの断面図。
【図４】長尺カーペットの製造工程を示す簡略側面図。
【図５】そのカーペット主体の一部の断面図。
【図６】裏面に二次基布を接着してなるカーペットの一部の断面図。
【図７】滑り止め突条形成工程を示す簡略側面図。
【図８】二次基布の裏面を上側に向けて搬送されるカーペットの一部の断面図。
【図９】滑り止め突条形成用プレートの斜視図。
【図１０】滑り止め突条を塗布、形成している状態の斜視図。
【発明を実施するための形態】
【００１７】
本発明の具体的な実施の形態を図面について説明すると、図１〜図３は、本発明方法によって製造された長尺カーペットＡ（後述する）を、幅方向及び長さ方向に一定寸法毎に裁断することによって得られたタイル状カーペットA'を示すもので、図３の断面図からも明らかなように、一次基布２にパイル糸３をタフティングすることによって得られたカーペット主体１における上記一次基布２の裏面に接着剤層４を塗布してあり、この接着剤層４を介して一次基布２の裏面に二次基布５の表面を貼着していると共にこの二次基布５の裏面に幅方向に一定間隔毎に長さ方向に長い一定幅と一定高さを有する畝状の滑り止め突条６、６、６・・・６を並列状態に塗布、形成している。
【００１８】
上記一次基布２としては、通気性を有する織布、不織布のいずれを採用してもよいが、二次基布５としては不織布を採用している。また、パイル糸３としての素材は、特に限定されることなく、合成繊維、天然繊維、再生繊維等からなるパイル糸を用いることができる。接着剤層４を形成する接着剤としては、スチレンーブタジエンゴム、アクリロニトリルーブタジエンゴム、或いは天然ゴム等のゴム成分を主体とし、このゴム成分の未加硫のラテックスに炭酸カルシウム、水酸化アルミニウム等の充填剤を混合してなる液状ゴムを採用することができる。
【００１９】
また、上記滑り止め突条６は滑り止め塗料組成物を二次基布５の裏面に畝状に塗布することによって形成されている。このような滑り止め塗料組成物としては、二次基布５上に塗布したときに畝状に保形できる程度の粘度を有しており、滑り止め効果を奏する塗膜を形成可能な塗料であれば、特に限定されず、公知の滑り止め塗料を用いることができる。滑り止め塗料は、樹脂成分を溶媒中に分散又は溶解させてなり、その樹脂成分としては、例えば、アクリル系樹脂、ウレタン系樹脂、エポキシ系樹脂、酢酸ビニル系樹脂、シリコーン樹脂などが挙げられる。溶媒としては、例えば、水、アルコール、酢酸エチル、トルエン、キシレンなどが挙げられる。滑り止め塗料は、市販品を用いることができる。市販品としては、例えば、ヒガシ化学社製から商品名「ラジテックス  ＭＦ−１４７０」（アクリル系共重合体を水中に分散させてなる滑り止め塗料）などが挙げられる。
【００２０】
次に、長尺カーペットＡの製造方法を図面に基づいて説明すると、まず、一定幅を有する織布又は不織布からなる長尺シート状の一次基布２にパイル糸３をタフティングすることによってカーペット主体１（図５にその一部の断面を示す）を製造する。次いで、このカーペット主体１は図４に示すように、カーペットの製造工程におけるバッキング工程部に向かって搬送されて一次基布２の裏面に二次基布５を裏貼りする。
【００２１】
このカーペット製造工程におけるカーペット主体１の搬入始端部側には、無端状のベルト10a の表面に先端が尖鋭な一定長さの多数のピン10b を小間隔毎に突設してなる第１テンター10をその両側のベルト10a 、10a が長尺カーペットＡの両側端耳部の下方に沿うように配設してあり、これらの両ベルト10a 、10a の突設ピン10b 、10b をカーペット主体１の両側端耳部に下面から突き刺してベルト10a を掛け渡した前後スプロケットホイール10c 、10d の回転により、カーペット主体１に幅方向に張りを付与した状態でこのカーペット主体１を下流側（前方）に向かって搬送する。
【００２２】
第１テンター10、10 の下流側には、カーペット主体１の一次基布２の裏面（下面）に全幅に亘って摺接するコーティングロール11が着剤槽12にその下半部を没入させた状態にして配設されてあり、このコーティングロール11によってコーティングロール11上を通過するカーペット主体１の一次基布２の裏面全面に接着剤槽12内の接着剤4'を塗布し、接着剤層４を設ける。
【００２３】
さらに、コーティングロール11の下流側近傍部に、カーペット主体１の下面に接するようにしてガイドロール13を回転自在に配設してあり、このガイドロール13を介して薄い不織布からなる二次基布５をカーペット主体１の一次基布２の裏面に上記接着剤層４を介して重ね合わせ状態に貼着する（図６参照）。二次基布５は一次基布２と同一幅で同じく長尺シート状に形成されてあり、ロール巻きしてなる二次基布５を連続的に繰り出しながらカーペット主体１の一次基布２の裏面に貼着することによって長尺カーペットＡを製造する。
【００２４】
二次基布５を送り込む上記ガイドロール13の下流側近傍部には、裏面に二次基布５を貼着した上記長尺カーペットＡの両側端耳部の下方に沿って第２テンター14が配設されている。この第２テンター14の構造は、上記第１テンター10と同様に、無端状のベルト14a の表面に先端が尖鋭な一定長さの多数のピン14b を小間隔毎に突設してなり、この第２テンター14における両側のベルト14a 、14a の突設ピン10b 、10b を長尺カーペットＡの両側端耳部に下面から突き刺してベルト14a を掛け渡している前後スプロケットホイール14c、14d の回転により、長尺カーペットＡに幅方向に張りを付与した状態でこの長尺カーペットＡを下流側に向かって搬送する。
【００２５】
この第２テンター14によって長尺カーペットＡが下流側に向かってその長さ方向に搬送される途上に乾燥室15が配設されてあり、長尺カーペットＡがこの搬送室15を通過中に、一次基布２と二次基布５とを接着している接着剤層４を乾燥させたのち、搬送終端側に配設している送り出しガイドローラ16から搬出して一旦、保管する。
【００２６】
この長尺カーペットＡの保管形態は、ガイドローラ16から送り出される長尺カーペットＡを例えば、振り落としアーム（図示せず）によって振り落としながら積層状態に折り畳んだ状態にするか、或いは、ロール状に巻装した状態にする。次いで、この保管形態の長尺カーペットＡを次の滑り止め突条形成工程に移す。
【００２７】
この滑り止め突条形成工程には、図７に示すように、上記長尺カーペットＡの製造工程と同じく、長尺カーペットＡの搬送方向に対して上流側に第１テンター17を、下流側に第２テンター18を配設している。これらの第１、第２テンター17、18の構造は、上記長尺カーペットＡの製造工程に採用している第１、第２テンター10、14と同じであり、長尺カーペットＡの両側端耳部の下方に沿うように配設した無端状ベルト17a ；18a の表面に先端が尖鋭な一定長さの多数のピン17b ；18b を小間隔毎に突設してなり、これらのベルト17a 、18a の突設ピン17b 、18b を長尺カーペットＡの両側端耳部に下面から突き刺してベルト17a 、18a をを掛け渡した前後スプロケットホイール17c 、17d ；18c 、18d の回転により、長尺カーペットＡに幅方向に張りを付与した状態で下流側（前方）に向かって搬送するように構成している。
【００２８】
さらに、第２テンター18による長尺カーペットＡの搬送途上には、乾燥室19が配設されている。従って、上記長尺カーペットＡの製造工程時に採用している上記第１、第２テンター10、14と乾燥室15をそのまま、滑り止め突条形成工程を実施するための第１、第２テンター17、18と乾燥室19に使用している。
【００２９】
この滑り止め突条形成工程を実施するための上記第１テンター17と第２テンター18との間には、第１テンター17から第２テンター18に向かって搬送される長尺カーペットＡの上方に、長尺カーペットＡにおける二次基布５の裏面上に幅方向に一定間隔ごとに滑り止め塗料組成物よりなる畝状の滑り止め突条６を形成するための装置が配設されている。
【００３０】
この装置は、図９、図10に示すように、下端部に、該下端部を長さ方向に一定間隔毎に三角形状、円弧形状等に切り欠くことによってトンネル状に貫通した滑り止め突条形成用孔21を形成してなる滑り止め突条形成用プレート20を、第１テンター17から第２テンター18に向かって搬送される長尺カーペットＡにおける上向きにした二次基布５上に接してその長さ方向を長尺カーペットＡの搬送方向に直交するように向けて配設していると共に、この滑り止め突条形成用プレート20に対して長尺カーペットＡの搬送上流側（滑り止め突条形成用プレート20の背面側）の長尺カーペットＡの二次基布５上に滑り止め塗料組成物6'を供給する供給管22を配設してなるものである。
【００３１】
このように構成した滑り止め突条形成装置を配設している滑り止め突条形成工程に、上記保管形態の長尺カーペットＡを、その二次基布５の裏面が上向きとなるように繰り出しながら、第１テンター17上に送り込み、この第１テンター17の両側ベルト17a 、17a に突設しているピン17b を長尺カーペットＡの下側に向けている一次基布２の表面から長尺カーペットＡの両側端耳部に突き刺して長尺カーペットＡに幅方向及び長さ方向の張りを付与しながら、この第１テンター17のベルトの走行により長尺カーペットＡを滑り止め突条形成装置側に搬送する。
【００３２】
長尺カーペットＡが滑り止め突条形成装置における滑り止め突条形成用プレート20の手前まで搬送されると、その上方に配設している供給管22から滑り止め塗料組成物6'が長尺カーペットＡの上向きとなっている二次基布５上に供給され、滑り止め塗料組成物6'をその流動性によって二次基布５の幅方向に展延させながら長尺カーペットＡの進行に伴って滑り止め突条形成用プレート20の上流側に面している背面に押し付けられ、該背面に堰止め状態に滞留しながら滑り止め突条形成用プレート20の下端部に設けている複数個の滑り止め突条形成用孔21を長尺カーペットＡの走行に伴って通過して滑り止め突条形成用プレート20から下流側に搬送される長尺カーペットＡの二次基布５上にこの滑り止め突条形成用孔21と同一断面形状の滑り止め突条６を畝状に連続的に塗布形成する。なお、上記滑り止め突条形成用プレート20を配設している位置にも長尺カーペットＡを緊張させる中間テンター或いは上記第１テンター17の延長部分を設けておいてもよい。
【００３３】
こうして、長尺カーペットＡにおける上向きにした二次基布５上に、上記滑り止め突条形成用プレート20によって幅方向に一定間隔毎に滑り止め突条６を並列状態に塗布形成しながら下流側に配設している第２テンター18に搬送され、この第２テンター18の両側のベルト18a 、18a に突設している多数のピン18b を長尺カーペットＡの両側端耳部に下側に向けている一次基布２の表面から突き刺して長尺カーペットＡに幅方向及び長さ方向に張りを付与した状態で乾燥室19を通過させ、滑り止め突条６を乾燥させて搬送終端側に配設している搬出ガイドローラ23から搬出し、振り落としながら積層状態に折り畳むか或いはロール状に巻装した状態にする。
【００３４】
こうして製造された裏面に長さ方向に連続する複数条の滑り止め突条６を設けている長尺カーペットＡを、幅方向及び長さ方向に所定間隔毎に裁断することによってシート状カーペット（図示せず）、或いは、図１、図２に示すようなタイル状カーペットA'を得ることができる。
【００３５】
なお、以上の実施例においては、長尺カーペットＡの裏面の二次基布５上に滑り止め突条６を塗布形成する装置として、下端部に複数の滑り止め突条形成用孔21を設けている滑り止め突条形成用プレート20を採用しているが、長尺カーペットＡの走行経路上にこの長尺カーペットＡの幅方向に一定間隔毎に対応させて滑り止め塗料組成物押出しノズル（図示せず）を長尺カーペットＡ側に向かって開口させた状態で配設し、このノズルから押し出される滑り止め塗料組成物によって長尺カーペットＡの二次基布５の裏面に、該長尺カーペットＡの走行に伴って幅方向に一定間隔毎に長さ方向に連続する複数条の畝状の滑り止め突条６を形成してもよい。
【符号の説明】
【００３６】
Ａ  長尺カーペット
１  カーペット主体
２  一次基布
３  パイル糸
４  接着剤層
５  二次基布
６  滑り止め突条
10、14、17、18  テンター
20  滑り止め突条形成用プレート
21  滑り止め突条形成用孔
【図１】
2016198200.tif 000003
【図２】
2016198200.tif 000004
【図３】
2016198200.tif 000005
【図４】
2016198200.tif 000006
【図５】
2016198200.tif 000007
【図６】
2016198200.tif 000008
【図７】
2016198200.tif 000009
【図８】
2016198200.tif 000010
【図９】
2016198200.tif 000011
【図１０】
2016198200.tif 000012